(57)【要約】  【課題】    置き敷きタイプのフリーアクセスフロアに四隅コーナー部分を切り欠いた床パネルを敷設する場合でも、床パネルのコーナー穴を靴のヒールが落ち込まないように簡便に塞ぐことができ、且つ後から床パネルを支持脚に締結状に固定する場合に従来のように既設の床パネルを支持脚から外さなくとも敷設工事を行なうことが可能なフリーアクセスフロア用支持脚を提供すること。  【解決手段】  パネル載承台座２の中央部分に床パネルＣの四隅コーナー部分Ｃ1で形成されるコーナー穴Ｃ2から臨めるように穴埋め部材装着部２２を設け、上記コーナー穴から穴埋め部材装着部２２に、コーナー穴を塞ぐための穴埋め部材５を装着せしめるか又は床パネルをパネル載承台座に固定するためのパネル固定部材６を装着せしめるように構成した。  【選択図】    図１
2005188190.tif 000002
【特許請求の範囲】
【請求項１】
基礎床面に対して鉛直状に設置される脚支柱にパネル載承台座を高さ調節可能に装着せしめ、該パネル載承台座に床パネルの四隅コーナー部分を載承させるようにした置き敷きタイプのフリーアクセスフロア用支持脚であって、前記パネル載承台座の中央部分に前記パネル載承台座に載置された床パネルの四隅コーナー部分で形成されるコーナー穴から臨めるように穴埋め部材装着部を設け、上記コーナー穴から該穴埋め部材装着部に、前記コーナー穴を塞ぐための穴埋め部材を装着せしめるか又は床パネルをパネル載承台座に固定するためのパネル固定部材を装着せしめるように構成してなることを特徴とするフリーアクセスフロア用支持脚。
【請求項２】
前記パネル載承台座が、前記脚支柱に高さ調節可能に装着される台座本体と該台座本体上に当該台座本体を覆うように装着され床パネルの四隅コーナー部分の周縁フランジを載承させる載承部材とから構成され、上記載承部材の中央部分に穴埋め部材装着用穴を開設すると共に、該装着用穴内に連結部材を臨ませて穴埋め部材装着部を形成し、前記コーナー穴を塞ぐための穴埋め部材を上記穴埋め部材装着用穴に前記コーナー穴から装着せしめるか、又は床パネルを前記パネル載承台座に固定するためのパネル固定部材を上記穴埋め部材装着用穴内に臨ませた連結部材に前記コーナー穴を通して連結させるように構成してなることを特徴とする請求項１記載のフリーアクセスフロア用支持脚。
【請求項３】
前記連結部材が前記パネル載承台座を貫通した前記脚支柱の先端部分であり、該連結部材に前記穴埋め部材またはパネル固定部材を螺合連結させることにより前記パネル載承台座を前記脚支柱にがたつくことなく定着固定するように構成してなる請求項２に記載のフリーアクセスフロア用支持脚。
【請求項４】
前記連結部材が前記脚支柱とは独立して前記パネル載承台座の装着用穴内に形成され、該連結部材に前記穴埋め部材またはパネル固定部材を掛脱自在に連結させるように構成してなる請求項２に記載のフリーアクセスフロア用支持脚。
【発明の詳細な説明】
【技術分野】
【０００１】
本発明は、基礎床面上に支持脚を介して所定の高さに浮かせて床を構築するフリーアクセスフロアに用いる支持脚に関し、更に詳しくは、基礎床面に対して鉛直状に設置される脚支柱にパネル載承台座を高さ調節可能に装着せしめ、そのパネル載承台座に床パネルの四隅コーナー部分を載承させるようにした置き敷きタイプのフリーアクセスフロア用支持脚に関するものである。
【背景技術】
【０００２】
置き敷きタイプのフリーアクセスフロアでは、床パネル（の四隅コーナー部分）を支持脚（のパネル載承台座上）に載承させているだけであるため、経年使用による基礎床面並びに床パネル自体のゆがみ変形によりがたつきが生じることがある。
このがたつきを解消するには、床パネルを支持脚に締結状に固定させてしまえば良い。そこで、１つの支持脚上に載承されている４枚の床パネル（の四隅コーナー部分）を支持脚（のパネル載承台座）に効率的に締結状に固定させるために、床パネルの四隅コーナー部分を予め四半円弧形状に切り欠いてパネル載承台座に載置された４枚の床パネルの四隅コーナー部分でもってコーナー穴を形成するようになし、そのコーナー穴を通してパネル固定部材をパネル載承台座に捻じ込むことにより床パネルを支持脚に締結状に固定させる方法がとられている。
しかしながら、置き敷きタイプのフリーアクセスフロアに四隅コーナー部分を切り欠いた床パネルを敷設すると、フロア全面にコーナー穴が点在することとなり、歩行中に靴のヒールが落ち込む事故が発生する。
【０００３】
そこで従来では、置き敷きタイプのフリーアクセスフロアに四隅コーナー部分を切り欠いた床パネルを敷設する場合には、図６に示すごとく、支持脚Ａ’のパネル載承台座２’上に床パネルＣのコーナー穴Ｃ2を塞ぐための部材１０を設置していた。従って、後から床パネルＣを支持脚Ａ’に締結状に固定しようとする場合にはコーナー穴Ｃ2を塞いでいた部材１０を取り除かなければならず、その為には既設の床パネルＣを支持脚Ａ’から一旦外さなければならず、更にその床パネルの上に什器がある場合には什器を撤去し工事後に再配置しなければならず、敷設工事の作業性が非常に悪い不具合があった。
尚、本願出願人が知っている上記の先行技術は、文献公知発明に係るものではないため、本願明細書には先行技術文献情報を開示しない。
【発明の開示】
【発明が解決しようとする課題】
【０００４】
本発明はこのような従来の不具合に鑑みてなされたものであり、置き敷きタイプのフリーアクセスフロアに四隅コーナー部分を切り欠いた床パネルを敷設する場合であっても、床パネルのコーナー穴を靴のヒールが落ち込まないように簡便に塞ぐことができ、且つ後から床パネルを支持脚に締結状に固定する場合に従来のように既設の床パネルを支持脚から外さなくとも敷設工事を行なうことが可能なフリーアクセスフロア用支持脚を提供せんとするものである。
【課題を解決するための手段】
【０００５】
斯かる目的を達成する本発明の請求項１に係るフリーアクセスフロア用支持脚は、基礎床面に対して鉛直状に設置される脚支柱にパネル載承台座を高さ調節可能に装着せしめ、該パネル載承台座に床パネルの四隅コーナー部分を載承させるようにした置き敷きタイプのフリーアクセスフロア用支持脚であって、前記パネル載承台座の中央部分に前記パネル載承台座に載置された床パネルの四隅コーナー部分で形成されるコーナー穴から臨めるように穴埋め部材装着部を設け、上記コーナー穴から該穴埋め部材装着部に、前記コーナー穴を塞ぐための穴埋め部材を装着せしめるか又は床パネルをパネル載承台座に固定するためのパネル固定部材を装着せしめるように構成してなることを特徴としたものである。
また、本発明の請求項２に係るフリーアクセスフロア用支持脚は、前記パネル載承台座が、前記脚支柱に高さ調節可能に装着される台座本体と該台座本体上に当該台座本体を覆うように装着され床パネルの四隅コーナー部分の周縁フランジを載承させる載承部材とから構成され、上記載承部材の中央部分に穴埋め部材装着用穴を開設すると共に、該装着用穴内に連結部材を臨ませて穴埋め部材装着部を形成し、前記コーナー穴を塞ぐための穴埋め部材を上記穴埋め部材装着用穴に前記コーナー穴から装着せしめるか、又は床パネルを前記パネル載承台座に固定するためのパネル固定部材を上記穴埋め部材装着用穴内に臨ませた連結部材に前記コーナー穴を通して連結させるように構成してなることを特徴としたものである。
この際、請求項３に記載の通り、前記連結部材として前記パネル載承台座を貫通させた前記脚支柱の先端部分をそのまま利用して、該連結部材に前記穴埋め部材またはパネル固定部材を螺合連結させることによりパネル載承台座を前記脚支柱にがたつくことなく定着固定するように構成することが好ましい。
また、請求項４に記載のごとく、前記連結部材が前記脚支柱とは独立して前記パネル載承台座の装着用穴内に形成され、該連結部材に前記穴埋め部材またはパネル固定部材を掛脱自在に連結させるように構成しても良い。
【発明の効果】
【０００６】
本発明に係るフリーアクセスフロア用支持脚は斯様に構成したので、穴埋め部材装着部に穴埋め部材を床パネルのコーナー穴から装着せしめるだけで床パネルのコーナー穴を簡便に塞ぐことが出来、またコーナー穴を通して穴埋め部材装着部にパネル固定部材を装着すれば床パネルをパネル載承台座に固定することが出来る。すなわち、床パネルのコーナー穴を通して穴埋め部材を穴埋め部材装着部から取り外し、替りにパネル固定部材を穴埋め部材装着部に装着するだけで床パネルを支持脚のパネル載承台座に固定することが出来るようになる。
従って、置き敷きタイプのフリーアクセスフロアに四隅コーナー部分を切り欠いた床パネルを敷設する場合であっても、床パネルのコーナー穴を靴のヒールが落ち込まないように簡便に塞ぐことができると共に、後から床パネルを支持脚に締結状に固定する場合に、従来のように既設の床パネルを支持脚から外さなくとも済み、敷設工事を容易且つ迅速に行なうことが可能となる。
しかも、特に請求項３に係るフリーアクセスフロア用支持脚によれば、極めて簡単な構成でもって連結部材に穴埋め部材またはパネル固定部材を螺合連結させるだけでパネル載承台座を脚支柱にがたつくことなく定着固定させることが出来、よって、パネル載承台座を脚支柱にがたつくことなく定着固定させるための格別の構成部材(例えば従来使用していたダブルナットなど)を廃止することが可能となる。
【発明を実施するための最良の形態】
【０００７】
以下、本発明の具体的な好適実施例を図面を参照しながら詳細に説明するが、本発明は図示実施例のものに限定されるものではなく、いろいろなバリエーションが考えられる。また、全図面を通して同様の構成部材には同じ符号を付してある。
【０００８】
本発明に係る支持脚Ａは、基本的に従来と同様に、基礎床面Ｂに対して鉛直状に設置される脚支柱１と、その脚支柱１に高さ調節可能に装着されるパネル載承台座２とで構成される。
【０００９】
脚支柱１は、その外周面に雄ネジ部１１が形成され、基礎床面Ｂ上に設置固定される設置プレート３に鉛直状に固定され、雄ネジ部１１にパネル載承台座２が上下方向に高さ調節可能に装着される。
【００１０】
パネル載承台座２を脚支柱１に高さ調節可能に装着させる機構はいろいろと考えられるが、図示実施例のものはパネル載承台座２にその内周面に雌ネジを刻設してなる螺合筒部２１を形成せしめて、螺合筒部２１を脚支柱１の雄ネジ部１１に螺動自在に螺合させることにより、脚支柱１に高さ調節可能に装着させたものである。
なお、図３においてパネル載承台座２の下部に設けたナット４は、パネル載承台座２を高さ調節した後にパネル載承台座２が脚支柱１に対してがたつかないように定着させるためのものであり、必ずしもなくとも良い。ちなみに、定着ナット４を使用しない場合には、後述する穴埋め部材５またはパネル固定部材６でもってパネル載承台座２を脚支柱１に対してがたつかないように定着させる。
【００１１】
パネル載承台座２は、脚支柱１に高さ調節可能に装着され且つ床パネルＣの四隅コーナー部分Ｃ1を載承し得るように形成されていればその形状に格別の制約はないが、その中央部分には、当該パネル載承台座２に載置された床パネルＣの四隅コーナー部分Ｃ1で形成されるコーナー穴Ｃ2から臨めるように穴埋め部材装着部２２を設けてなる。
【００１２】
穴埋め部材装着部２２は、基本的にパネル載承台座２に載置された床パネルＣの四隅コーナー部分Ｃ1で形成されるコーナー穴Ｃ2を塞ぐための穴埋め部材５を装着し、必要に応じて穴埋め部材５に替えて、床パネルＣをパネル載承台座２に固定するためのパネル固定部材６を装着するためのものであり、穴埋め部材５およびパネル固定部材６を装着しえるように形成されている。
【００１３】
すなわち、図１，図２に示した第１実施例および図３に示した第２実施例では、パネル載承台座２を床パネルＣの四隅コーナー部分Ｃ1の底面を載承し得るように平面視略円形状をした平板状に形成すると共に、上面に床パネルＣの四隅コーナー部分Ｃ1を当接ないしは係合させて横ずれを防止するための位置決め係止突起２３を略十文字形状に配設せしめ、中央部分に設けた螺合筒部２１から脚支柱１の先端部分１２を貫通突設させることにより穴埋め部材装着部２２を形成したものである。従って、この穴埋め部材装着部２２には、図２に示すごとく内周面に雌ネジを形成せしめた穴埋め部材５またはパネル固定部材６を螺合装着するか、或いは図３に示すごとく内周面に雌ネジが形成されていない穴埋め部材５ａを嵌挿着することができる。
【００１４】
また、図４に示した第３実施例では、パネル載承台座２が第１および第２実施例で説明したパネル載承台座とほぼ同様に形成されて支柱１に高さ調節可能に装着される台座本体２４と、この台座本体２４上面に当該台座本体を覆うように装着され床パネルＣの四隅コーナー部分Ｃ1の周縁フランジＣ3を載承させるプラスチック製の載承部材２５とから構成され、上記載承部材２５の中央部分に穴埋め部材装着用穴２６を開設すると共に、該装着用穴２６内に連結部材を臨ませて穴埋め部材装着部２２を形成したものである。
この際、連結部材としては、台座本体２４上面に一体的に突設したボルト杆またはナットでも良いし、図示実施例のごとく、パネル載承台座２を貫通突出させた脚支柱１の先端部分１２であっても良い。この穴埋め部材装着部２２には、第１および第２実施例の場合と同様に、内周面に雌ネジを形成せしめた穴埋め部材５またはパネル固定部材６を螺合装着するか、或いは内周面に雌ネジが形成されていない穴埋め部材５ａを嵌挿着することができる。
【００１５】
なお、連結部材すなわち穴埋め部材装着部２２が、台座本体２４上面に一体的に突設したナットで形成されている場合にはそれに対応して穴埋め部材５およびパネル固定部材６の一部又は全部の外周部分に雄ネジを刻設して螺合装着させるようにすることは理解されるべきである。
また、図５に示した第４実施例では、穴埋め部材装着用穴２６の内周面に連結部材としての係合突起２７を突設せしめて穴埋め部材装着部２２を形成し、その係合突起２７と対応するように穴埋め部材５およびパネル固定部材６に係合凹部６３を形成し、穴埋め部材装着部２２の係合突起２７に穴埋め部材５またはパネル固定部材６の係合凹部６３を掛脱自在に係合連結させるように構成したものである。
【００１６】
穴埋め部材５およびパネル固定部材６は、穴埋め部材装着部２２に装着した状態において敷設した床パネルＣの上面と面一となるように形成され、また、穴埋め部材５の外形は床パネルＣのコーナー穴Ｃ2の内径とほぼ同じ大きさを有する短い棒形状に形成され、そしてパネル固定部材６の胴部は穴埋め部材５とほぼ同様に形成されその頭部に床パネルＣの四隅コーナー部分Ｃ1の上縁に係止する略円盤形状をした係止フランジ６１が形成してなる。更に、穴埋め部材５およびパネル固定部材６の頭部には、穴埋め部材装着部２２に螺合装着するべくドライバー（工具）を係合させるための係止凹窪６２を必要に応じて形成する。
【００１７】
而して、基礎床面Ｂ上に支持脚Ａを碁盤の目状に所定間隔ごとに配設し、隣接する支持脚Ａに渡って床パネルＣを架橋状に敷設する。この時、四隅コーナー部分が切り欠かれていない通常の置き敷きタイプの床パネルＣを使用すれば敷設されたフリーアクセスフロアにコーナー穴Ｃ2は生じないが、四隅コーナー部分Ｃ1が切り欠かれた固定タイプの床パネルＣを使用すると敷設されたフリーアクセスフロアにコーナー穴Ｃ2が生じるので、その場合には支持脚Ａの穴埋め部材装着部２２に穴埋め部材５または５ａを床パネルＣのコーナー穴Ｃ2から装着せしめる。これで床パネルＣのコーナー穴Ｃ2が塞がれ、歩行中に靴のヒールが床パネルＣのコーナー穴Ｃ2に落ち込む惧れがなくなる。（図２(ａ)参照）
そして、四隅コーナー部分Ｃ1が切り欠かれた床パネルＣを使用してフリーアクセスフロアを構築した後に、経年使用による基礎床面Ｂ並びに床パネルＣ自体のゆがみ変形によりがたつきが生じそれを解決するために後から床パネルＣを支持脚Ａに締結状に固定する場合には、図２(ｂ)に示すごとく、支持脚Ａの穴埋め部材装着部２２に装着されている穴埋め部材５または５ａを、床パネルＣのコーナー穴Ｃ2を通して穴埋め部材装着部２２から取り外し、空いた穴埋め部材装着部２２にパネル固定部材６を床パネルＣのコーナー穴Ｃ2から装着する。すると、パネル固定部材６の係止フランジ６１がコーナー穴Ｃ2の口縁、すなわち各床パネルＣの四隅コーナー部分Ｃ1の上縁に係止され、そのままパネル固定部材６を穴埋め部材装着部２２（の連結部材）に捻じ込むことによりパネル固定部材６の係止フランジ６１を介して各床パネルＣが支持脚Ａにがたつくことなくしっかりと固定される。
【図面の簡単な説明】
【００１８】
【図１】本発明の第１実施例を示す斜視図。
【図２】本発明第１実施例を示す一部切欠側面図であり、(ａ)は穴埋め部材装着部に穴埋め部材を装着した状態を示し、(ｂ)は穴埋め部材装着部にパネル固定部材を装着した状態を示す。
【図３】本発明の第２実施例を示す一部切欠側面図。
【図４】本発明の第３実施例を示す斜視図。
【図５】本発明の第４実施例を示す斜視図。
【図６】従来例を示す一部切欠側面図。
【符号の説明】
【００１９】
Ａ：支持脚                            Ｂ：基礎床面
Ｃ：床パネル                         Ｃ1：四隅コーナー部分
Ｃ2：コーナー穴                       Ｃ3：周縁フランジ
１：脚支柱                          １１：雄ネジ部
１２：脚支柱の先端部
２：パネル載承台座                  ２１：螺合筒部
２２：穴埋め部材装着部                ２３：位置決め係止突起
２４：台座本体                        ２５：載承部材
２６：穴埋め部材装着用穴              ２７：係合突起
３：設置プレート
４：定着ナット                        ５，５ａ：穴埋め部材
６：パネル固定部材                  ６１：係止フランジ
６２：係止凹窪                        ６３：係合凹部
【図１】
2005188190.tif 000003
【図２】
2005188190.tif 000004
【図３】
2005188190.tif 000005
【図４】
2005188190.tif 000006
【図５】
2005188190.tif 000007
【図６】
2005188190.tif 000008